(57)【要約】【課題】収容箱に振動、衝撃等が与えられても、収容箱内に収容したスパウトパックが散乱することを防止し、かつスパウトパックの収容の作業性が向上するスパウトパック用収容箱を提供する。【解決手段】四角箱状の箱本体１０は、上面に開口部１１を設け、この開口部１１とほぼ同様の大きさをなす孔空き板２０が開口部１１より挿入可能となっている。孔空き板２０には箱本体１０に収容したスパウトパック１５のスパウト部１８を貫通する貫通孔２４があけられており、この貫通孔２４は長孔状に形成されている。孔空き板２０を開口部１１から押し入れると、孔空き板２０の各貫通孔２４がそれぞれ２つのスパウトパック１５のスパウト部１８を貫通して箱本体１０内の所定位置にセットされる。したがって、スパウトパック１５は孔空き板２０によって位置決めされる。【選択図】図１
2008013211.tif 000002
【特許請求の範囲】
【請求項１】
スパウトパック用の収容箱において、箱本体と、該箱本体内部に並べられたスパウトパックのスパウト部を貫通する貫通孔を形成した孔空き板とを有し、前記貫通孔はその形状が長孔状であることを特徴とするスパウトパック用収容箱。
【請求項２】
前記貫通孔は、孔空き板の短手方向に延設されていることを特徴とする請求項１に記載のスパウトパック用収容箱。
【請求項３】
前記貫通孔は、その短手方向の長さが、内容物を充填したスパウトパックの厚さよりも短いことを特徴とする請求項１又は請求項２に記載のスパウトパック用収容箱。
【発明の詳細な説明】
【技術分野】
【０００１】
本発明は、スパウトパック用の収容箱に関するものである。
【背景技術】
【０００２】
従来、スパウト部を有するフィルムパック、いわゆるスパウトパックを輸送する際には、ただ単に収容箱内に収容し、そのまま輸送している。スパウトパックの例としては、例えば特許文献１及び特許文献２に記載されたスパウトパックが挙げられる。
【０００３】
一方、例えば特許文献３では、収容した瓶の破損を防ぐための収容箱が開示されている。この収容箱は、図５に示すように、箱本体５０、箱本体５０の開口部とほぼ同じ大きさをなす孔空き板５３、及び仕切り５６とからなる。孔空き板５３には、瓶の首５４を貫通させるための貫通孔５２とセット状態にある孔空き板５３を箱本体５０から取り外すための取り外し用孔５７が空けられている。貫通孔５２は、その直径が瓶の首５４より大きく、瓶の胴体５５よりも小さく形成されているとともに、箱本体５０に収容する瓶５１の位置に対応して孔空き板５３には６箇所空けられている。取り外し用孔５７は指を入れることができる程度の大きさであり、孔空き板５３の中央付近に２箇所空けられている。
【０００４】
箱本体５０には６本の瓶５１が２本×３列となるような所定の位置に整列配置されている。上述のように貫通孔５２は、整列させた瓶５１に対応する位置に空けられているので、孔空き板５３を箱本体５０の開口部に合わせつつ下方へ押し込むと、それぞれの貫通孔５２は対応する各瓶の首５４を同時に貫通して孔空き板５３がセットされる。瓶５１は、瓶の首５４を貫通した孔空き板５３によって位置決めされる。したがって、輸送中に箱本体５０に対して振動、衝撃が与えられても、孔空き板５３に位置決めされた瓶５１同士は衝突することがなく、瓶５１の破損を防ぐことができる。なお、孔空き板５３を取り外すときは、取り外し用孔５７に指を差し入れて、孔空き板５３を引き上げればよい。
【特許文献１】特開２００３−１４６３３７号公報
【特許文献２】特開２００３−１９１９６４号公報
【特許文献３】特開２００４−２１７２４８号公報
【発明の開示】
【発明が解決しようとする課題】
【０００５】
ところで、ただ単にスパウトパックを箱内に整列させて輸送しても、輸送時の振動や衝撃により、整列させたスパウトパックが箱内で散乱してしまうという問題点がある。
一方、特許文献３に記載されている上述の孔空き板をスパウトパック収容箱に適用すると、スパウトパックを位置決めすることができ、輸送中にスパウトパックが散乱することを防止できる。しかし、形状が変形しない瓶とは異なり、フィルム等で形成されているスパウトパックは収容箱に入れるときの衝撃や他のスパウトパックとの接触等によっては形状が変形しやすく、また、底面形状が略楕円状であることから、常に一定の位置にスパウトパックを入れることは困難である。
【０００６】
また、スパウトパックに対する内容物の注入状態によってはスパウトパックの側面フィルムにしわが生じ、そのしわによってはスパウト部が常に真っ直ぐに上方を指向しているとは限らず、若干、傾くこともある。したがって、特許文献３に記載された孔空き板をスパウトパック用収容箱の開口部に合わせつつ下方へ押し込む場合、孔空き板のすべての貫通孔のそれぞれに、収容箱に収容されたすべてのスパウトパックのスパウト部をそれぞれ貫通させることは難しく、一部のスパウトパックのスパウト部が貫通孔に貫通することなく引っかかることもある。これでは、収容箱に孔空き板をセットすることができないばかりか、スパウトパックが孔空き板によって押し潰されることにもなる。こうした問題を解消するには、収容箱に入れたときのスパウトパックの位置決め、そして、スパウト部の指向の一定化を徹底的に管理するほかなく、また、スパウト部が貫通孔に貫通することなく引っかかった場合には作業者の手でその引っかかりを直すほかない。
【０００７】
本発明は、上記事情に鑑みてなされたものであって、その目的は箱内のスパウトパックが輸送時に散乱することを防止することができ、かつスパウトパックの収容の作業性が向上するスパウトパック用収容箱を提供することにある。
【課題を解決するための手段】
【０００８】
前記の目的を達成するため、請求項１に係る発明では、スパウトパック用の収容箱において、箱本体と、該箱本体内部に並べられたスパウトパックのスパウト部を貫通する貫通孔を形成した孔空き板とを有し、前記貫通孔はその形状が長孔状に形成されている。
【０００９】
この発明では、孔空き板の貫通孔が長孔状であることから、１つの貫通孔に複数のスパウトパックのスパウト部を貫通させることも可能になる。この場合、１つの貫通孔に１つのスパウト部を貫通させる場合に比べ、孔空き板の箱本体に対するセット時にはスパウトパックのスパウト部が貫通孔に貫通することなく引っかかるという不都合の発生が抑制される。
【００１０】
請求項２に係る発明では、請求項１のスパウトパック収容箱において、前記貫通孔は、孔空き板の短手方向に延設されている。この構成では、貫通孔に貫通されるスパウトパックのスパウト部の数を好適にして、スパウトパックの移動が抑制される。
【００１１】
請求項３に係る発明では、請求項１又は請求項２のスパウトパック収容箱において、前記貫通孔は、その短手方向の長さが、内容物を充填したスパウトパックの厚さよりも短く形成されている。この構成では、収容箱に振動、衝撃が与えられても孔空き板が箱本体の底面まで落ち込むことはない。
【発明の効果】
【００１２】
本発明によれば、箱内に整列させたスパウトパックが輸送中に散乱することが防止でき、かつスパウトパックの収容の作業性が向上する。
【発明を実施するための最良の形態】
【００１３】
以下、本発明を具体化した実施の形態を図１〜図３にしたがって説明する。図１はスパウトパック用収容箱全体の斜視図である。この収容箱に収容されるスパウトパック１５は一対の側面フィルム１６及び底面フィルムからなる袋状をなし、一対の側面フィルム１６の接合部には補強柱１７が付設され、上端部には内容物を取り出すためのスパウト部１８が付設されている。なお、この実施形態では、収容箱に８つのスパウトパック１５が収容される。
【００１４】
図１及び図２に示すように、スパウトパック用収容箱の箱本体１０は四角箱状で上面に開口部１１を設け、この開口部１１とほぼ同様の大きさをなす孔空き板２０が箱本体１０の開口部１１から箱本体１０内へ挿入可能となっている。
【００１５】
孔空き板２０は底部２１が長方形状をなすとともに、その底部２１の各辺に対してそれぞれ長方形状をなす側部２２が連設されている。各側部２２の短手方向の長さＭは、スパウトパック１５の側面フィルム１６の上端から箱本体１０の開口部１１までの距離と同じかそれよりもやや短くなるように形成されている。底部２１と４つの側部２２との境界には折曲線２３が付与され、この折曲線２３に沿って各側部２２は底部２１から上方に向けて折り曲げられている。
【００１６】
底部２１は、底部２１の短手方向へ向かって延設される４つの長孔状の貫通孔２４を互いに等間隔となるように設けている。貫通孔２４は、その長手方向Ｘの長さのほうが短手方向Ｙの長さよりも長く、かつ二つのスパウト部１８が貫通するに十分な長さとなるよう、孔空き板２０の短手方向のほぼ全域にわたって形成されている。また、貫通孔２４の短手方向Ｙの長さは内容物が充填されたスパウトパック１５の厚みよりも短く形成されている。
【００１７】
次に、スパウトパック用収容箱にスパウトパック１５を収容する手順を説明する。箱本体１０の内部には８つのスパウトパック１５が２つずつ４列に配置されている。このとき、図１に示されるとおり、２つずつ並ぶスパウトパック１５は収容効率を高めるために互いに端部同士（補強柱１７を含む側面フィルム１６の端部）が重なり合うように配置されている。一方、孔空き板２０は側部２２が折曲線２３に沿って折り曲げられ、この状態で、孔空き板２０が箱本体１０の開口部１１から箱本体１０の内部へ押し込まれる。すると、１つの貫通孔２４に対して２つずつ並んだスパウトパック１５のスパウト部１８がともに貫通されて孔空き板２０がセットされる。このとき、各貫通孔２４にはスパウトパック１５のスパウト部１８が貫通されつつ、側部２２の上端は箱本体１０の開口部１１と同等の高さに位置している。箱本体１０の開口部１１は封止されて輸送される。
【００１８】
この実施の形態では以下の効果を有する。
（１）孔空き板２０にあけられた貫通孔２４は長孔状であるため、孔空き板２０の箱本体１０に対するセット時にはスパウトパック１５のスパウト部１８が貫通孔２４に貫通することなく引っかかることが抑制される。また、貫通孔２４が長孔状であることから、取り外し専用の他の構成を備えなくても、貫通孔２４に手又は器具を差し入れ、取り外すことができる。さらに、スパウトパック１５の収容本数に変更があったとしても、同一の孔空き板２０で対応しやすく、汎用性が高い。
【００１９】
（２）孔空き板２０にあけられた貫通孔２４がスパウトパック１５のスパウト部１８を位置決めするため、輸送中に箱本体１０に衝撃等が与えられても、収容されたスパウトパック１５が箱内部で散乱しない。
【００２０】
（３）貫通孔２４の短手方向Ｙの長さが、内容物を充填したスパウトパック１５の厚みよりも短く形成されているため、輸送中に箱本体１０に衝撃が与えられても、孔空き板２０が箱本体１０の下面にまで落ち込まない。
【００２１】
（４）貫通孔２４が孔空き板２０の短手方向に形成されているため、貫通孔２４に貫通されるスパウト部１８の数を好適にして、スパウトパック１５が箱本体１０内で散乱することを抑制することができる。
【００２２】
（５）孔空き板２０は、樹脂等からなる強度の高いスパウト部１８を位置決めするため、形状の安定しない側面フィルム１６を位置決めする場合に比べ、スパウトパック１５がずれにくい。
【００２３】
（６）側部２２を上向きに折り曲げ、側部２２の短手方向の長さＭの構成から、側部２２が箱本体１０上面内側と接触し、孔空き板２０が上方に浮き上がって外れることを防止できる。
【００２４】
上記実施形態は、次のように変更することも可能である。
・貫通孔２４の長手方向及び短手方向の長さは任意に変更可能である。たとえば、図４に示すとおり、貫通孔２４を長手方向Ｘにおいて側部２２に到るまで延ばし、さらに、側部２２の端部に到るまで延ばすとともに、短手方向Ｙにおいてスパウト部１８の直径よりも若干短くなるように変更してもよい。この場合、貫通孔２４の側部２２の開口からスライドさせるようにしてスパウトパック１５が孔空き板２０に係止された後、箱本体１０に収容されてスパウトパック１５及び孔空き板２０が箱本体１０内に押し込まれるようになる。
【００２５】
・１つの貫通孔２４あたりに貫通されるスパウト部１８の数は２つに限らず、１つ又は３つ以上でもよい。なお、スパウトパック１５は上記実施形態のものに限定されない。たとえば、補強柱１７が付設されていないようなものでもよい。
【００２６】
・貫通孔２４は孔空き板２０の長手方向に延設されてもよい。この場合、貫通孔２４を複数個に区分するようにし、１つの貫通孔２４に貫通されるスパウト部１８の数を好適に抑制すれば、上記実施形態と同様の効果を得ることができる。
【００２７】
・孔空き板２０において貫通孔２４が形成されるタイミングはとくに限定されない。たとえば、孔空き板２０に切れ込みを形成しておき、箱本体１０にスパウトパック１５を入れる際に、その切れ込みに沿ってくり抜いて貫通孔２４が形成されるようにしてもよい。
【００２８】
・上記実施形態では、収容箱に８つのスパウトパック１５が収容されたが、この数は変更可能である。したがって、収容されるスパウトパック１５の数、収容箱の大きさ及び形状等を勘案して、収容箱の長手方向及び短手方向にいくつのスパウトパック１５を並べるかが決められる。長孔状の貫通孔２４はそうしたスパウトパック１５の配置に応じて孔空き板２０に設けられることになる。
【００２９】
・側部２２の短手方向の長さＭは任意に変更可能である。ただし、この長さＭは、箱本体１０の開口部１１からスパウト部１８の上面までの長さよりも長くなるように設定されなければならない。また、底部２１に対して４つの側部２２が連接されているが、この側部２２の数を少なくしてもよい。
【００３０】
前記実施の形態から把握できる技術思想について、以下に記載する。
・前記貫通孔は、長手方向における片側が側部の端部に到るまで延設されており、かつその短手方向の長さがスパウト部の直径よりもやや短く形成されているスパウトパック用収容箱。
【００３１】
・前記孔空き板は、上向きに折曲形成された側部を有し、前記側部の上下方向の長さが収容箱に収容したスパウトパックのスパウト部から箱本体の開口部までの距離よりも長いスパウトパック収容箱。
【００３２】
・前記貫通孔は、孔空き板の長手方向に延設されているスパウトパック用収容箱。
・孔空き板には貫通孔を形成するための切れ込みがあるスパウトパック用収容箱。
【図面の簡単な説明】
【００３３】
【図１】実施形態におけるスパウトパック収容箱の斜視図。
【図２】実施形態における孔空き板の平面図。
【図３】実施形態におけるスパウトパック収容箱の短手方向の断面図。
【図４】別例における孔空き板の平面図。
【図５】瓶用収容箱の斜視図。
【符号の説明】
【００３４】
１０…箱本体、１５…スパウトパック、１８…スパウト部、２０…孔空き板、２４…貫通孔。
【図１】
2008013211.tif 000003
【図２】
2008013211.tif 000004
【図３】
2008013211.tif 000005
【図４】
2008013211.tif 000006
【図５】
2008013211.tif 000007